(57)【要約】【課題】  選択肢の選択操作負担を軽減すると共に、選択肢に従って絞り込まれた情報にある程度の幅を持たせることによって、ユーザが情報を容易に見つけることが可能な情報抽出装置を提供すること。【解決手段】  情報抽出装置１では、選択肢表示手段１８、１３により表示モニタ１４に表示された複数の目的選択肢のうちのいずれか一つの目的選択肢と、複数の作用選択肢のうちのいずれか一つの作用選択肢とを、選択操作手段１５によってユーザに選択させ、選択された一の目的選択肢と一の作用選択肢との組み合わせに応じて、情報抽出手段１８が、情報記録手段１６より目的選択肢と作用選択肢との組み合わせに基づいて規定される情報を抽出し、情報表示手段１８、１３が抽出された情報を表示モニタ１４に表示させる。【選択図】図１
2015158950.tif 000002
【特許請求の範囲】
【請求項１】
目的語となり得る単語からなる複数の目的選択肢と、作用を特定し得る単語からなる複数の作用選択肢とにより構成される２種類の選択肢群を、当該２種類の選択肢群を構成する何れの選択肢も選択されていない状態において表示モニタに表示させることが可能な選択肢表示手段と、
該選択肢表示手段に表示された２種類の選択肢群において、複数の前記目的選択肢のうちのいずれか一つの目的選択肢と、複数の前記作用選択肢のうちのいずれか一つの作用選択肢とを、ユーザに選択させることが可能な選択操作手段と、
前記目的選択肢と前記作用選択肢との組み合わせに基づいて規定される情報を、前記目的選択肢と前記作用選択肢との組み合わせに応じて記録する情報記録手段と、
前記選択操作手段により選択された前記一の目的選択肢と前記一の作用選択肢との組み合わせに応じて、当該組み合わせに基づいて規定される情報を前記情報記録手段より抽出する情報抽出手段と、
該情報抽出手段により抽出された情報を前記表示モニタに表示させる情報表示手段と
を有することを特徴とする情報抽出装置。
【請求項２】
前記目的選択肢と前記作用選択肢との組み合わせに基づいて規定される前記情報は、少なくとも一項目以上の情報であり、
前記情報抽出手段により抽出される情報が複数の項目からなる場合には、前記情報抽出手段が前記複数の項目を全て抽出し、前記情報表示手段が抽出された項目を一覧にして前記表示モニタに表示させる
ことを特徴とする請求項１に記載の情報抽出装置。
【請求項３】
前記情報記録手段に記録される前記情報の項目は、前記目的選択肢と前記作用選択肢との組み合わせのうち少なくとも一方の選択肢が異なる他の選択肢の組み合わせに基づく場合であっても、共通する項目を備え得ること
を特徴とする請求項１または請求項２に記載の情報抽出装置。
【請求項４】
前記選択操作手段により、前記目的選択肢または前記作用選択肢のうちいずれか一方の選択肢のみ選択された場合に、前記選択肢表示手段は、選択された選択肢の選択肢群とは異なる選択肢群の選択肢であって、選択された選択肢との組み合わせに基づく情報が、前記情報記録手段に記録されていない選択肢に該当する選択肢の表示を、他の選択肢と異なる表示に変更して前記表示モニタに表示させること
を特徴とする請求項１乃至請求項３のいずれか１項に記載の情報抽出装置。
【請求項５】
前記選択操作手段による前記選択肢の選択は、前記目的選択肢を選択した後に前記作用選択肢を選択することも、前記作用選択肢を選択した後に前記目的選択肢を選択することも可能であること
を特徴とする請求項１乃至請求項４のいずれか１項に記載の情報抽出装置。
【請求項６】
前記目的選択肢と前記作用選択肢との組み合わせに基づいて規定される前記情報は、前記目的選択肢を目的語とし前記作用選択肢を動詞として構成される文章の内容に基づいて特定され得る機能を実現するための操作情報であること
を特徴とする請求項１乃至請求項５のいずれか１項に記載の情報抽出装置。
【請求項７】
前記目的選択肢を目的語とし前記作用選択肢を動詞として構成される文章の内容に基づいて特定され得る前記機能は、カーナビゲーションシステムの機能であり、
当該機能を実現するための操作情報とは、前記カーナビゲーションシステムの機能を実現するための操作情報であること
を特徴とする請求項６に記載の情報抽出装置。
【発明の詳細な説明】
【技術分野】
【０００１】
本発明は情報抽出装置に関し、より詳細には、２種類の選択肢を選択することにより、所望の情報を簡単に抽出することが可能な情報抽出装置に関する。
【背景技術】
【０００２】
今日では、乗車券の券売機、携帯電話、カーナビゲーションシステムなどの多くの情報端末が設置され、利用されている。これらの情報端末では、表示パネルに表示される選択項目などを選択することにより、情報端末によって提供される多くの機能を利用することが可能となっている。今日では、情報端末における記録容量の大容量化や、ＣＰＵの高速化等に加え、ユーザが情報端末を用いて利用するサービスの多様化などが進み、１つの情報端末で数多くの機能を実現することが可能となっている。
【０００３】
例えば、一般的なカーナビゲーションシステムでは、現在位置の地図表示処理、地図表示の表示スケール変更処理、目的地の変更処理、案内経路（以下、ルートと称する）の変更処理、ルートの取り消し処理などの道路案内機能だけでなく、音楽データ（例えば、ＭＰ３データなど）の再生・停止処理、ワンセグやデジタルテレビの視聴・停止処理、ＤＶＤやブルーレイディスク（登録商標）の再生・停止処理、行楽地検索処理など、様々な処理を行うことが可能となっている。
【０００４】
このように、１台の情報端末（例えば、カーナビゲーションシステム）で数多くの機能を実現することが可能になると、機能の増加に伴って、機能を実現するための操作方法がわかり難くなるという問題があった。一般に、全ての操作方法はマニュアルに記載されているため、ユーザが操作を行う場合には、マニュアルを参照することにより所望の操作方法を探すことが可能となっている。しかしながら、所望の操作項目に伴う機能名称などがわからない場合には、マニュアルを参照しても目的とする操作項目を求めることが困難であった。
【０００５】
また、全ての操作方法をその操作方法によって実現され得る機能の種類に基づいて階層毎に整理し、目的とする機能の種類・内容に基づいて、階層化された機能の中から所望の操作方法を求める方法も提案されている。
【０００６】
しかしながら、このようにして機能毎に階層化して操作方法を整理する方法では、使用頻度の高い操作方法も使用頻度の低い操作方法も、同じような操作手順・操作負担を経て（同じ回数だけ選択操作を行って）処理を行う必要が生じ得るという問題があった。
【０００７】
一方で、使用頻度の高い操作だけをアイコン表示化し、このアイコンを選択することによって、使用頻度の高い処理を素早く実行する方法も提案されている。しかしながら、多数の機能を備えた今日のカーナビゲーションシステムでは、使用頻度の高い操作方法をアイコンに割り当てるにしても、表示可能なアイコン数が限られてしまうため、アイコン割り当てを行うことが困難となっている。
【０００８】
このため、操作方法によって実現される機能を、一般的な口語表現によって分類し、さらに、この口語表現を、予め規定された名詞と、予め規定された動詞と、予め規定された助詞との組み合わせによって分解して、分解された名詞、助詞および動詞を択一的に選択することにより、目的の操作方法を特定する方法が提案されている（例えば、特許文献１参照）。
【０００９】
この特定方法によれば、助詞における選択肢を設けることにより、名詞を動詞の主語とすることができ、または、名詞を動詞の目的語とすることができるという利点が生ずる。このように、名詞と、助詞と、動詞とを択一的に選択することにより、大量に存在する操作方法の中から、目的とする機能を実現するために最良の操作方法を特定することが可能となる。特に、助詞を用いることにより、名詞が主語であるか、または目的語であるかを特定することができるので、処理内容をより詳細に判断することができ、数多くの操作方法の中から一または二程度の最適な操作方法を求める（抽出すること）ことが可能となる。
【先行技術文献】
【特許文献】
【００１０】
【特許文献１】特開２００８―４６７５８号公報
【発明の概要】
【発明が解決しようとする課題】
【００１１】
しかしながら、特許文献１では、名詞を示す複数の選択肢と、助詞を示す複数の選択肢と、動詞を示す複数の選択肢が、ディスプレイに表示される。このため、操作方法を特定するためには、少なくとも３種類のアイコン（選択肢）を択一的に選択しなければならない。このように選択すべき項目が３種類も存在すると、選択負担が重くなってしまう傾向があった。
【００１２】
また、名詞のアイコンと、助詞のアイコンと、動詞のアイコンとの３種類のアイコンを択一的に選択することにより、上述したように多数の操作方法の中から最適な操作方法を大幅に絞り込むことができるが、この大幅な絞り込みによって、所望の操作方法が抽出された操作方法一覧に含まれなくなってしまう場合が生じ得るという問題があった。
【００１３】
絞り込まれた操作方法の中に所望の操作方法が含まれていればよいが、絞り込まれた操作方法に所望の操作方法が含まれない場合には、再度、名詞、動詞および助詞による組み合わせを考え直して、操作方法の抽出処理を始めから行わなくてはいけなくなってしまう。このような操作方法の再抽出処理は、ユーザにおける操作負担の増大を招くと共に、回数を重ねる毎に、所望の操作方法を見つけ出すことが困難になってしまうという問題があった。
【００１４】
特に、カーナビゲーションシステムの操作は、車両発進前、または、車両停止時（例えば信号待ち時間など）に行うことが多いため、安全かつ円滑にカーナビゲーションシステムの操作処理が行えるように、少ない操作手順で最適な操作方法を求めることが望まれている。
【００１５】
本発明は、上記問題に鑑みてなされたものであり、選択肢の選択操作負担を軽減すると共に、選択肢に従って絞り込まれた情報にある程度の幅（ゆとり）を持たせることによって、ユーザが情報を容易に見つけることが可能な情報抽出装置を提供することを課題とするものである。
【課題を解決するための手段】
【００１６】
上記課題を解決するために、本発明に係る情報抽出装置は、目的語となり得る単語からなる複数の目的選択肢と、作用を特定し得る単語からなる複数の作用選択肢とにより構成される２種類の選択肢群を、当該２種類の選択肢群を構成する何れの選択肢も選択されていない状態において表示モニタに表示させることが可能な選択肢表示手段と、該選択肢表示手段に表示された２種類の選択肢群において、複数の前記目的選択肢のうちのいずれか一つの目的選択肢と、複数の前記作用選択肢のうちのいずれか一つの作用選択肢とを、ユーザに選択させることが可能な選択操作手段と、前記目的選択肢と前記作用選択肢との組み合わせに基づいて規定される情報を、前記目的選択肢と前記作用選択肢との組み合わせに応じて記録する情報記録手段と、前記選択操作手段により選択された前記一の目的選択肢と前記一の作用選択肢との組み合わせに応じて、当該組み合わせに基づいて規定される情報を前記情報記録手段より抽出する情報抽出手段と、該情報抽出手段により抽出された情報を前記表示モニタに表示させる情報表示手段とを有することを特徴とする。
【００１７】
本発明に係る情報抽出装置では、選択操作手段により選択された一の目的選択肢と一の作用選択肢の組み合わせとに応じて、当該組み合わせに基づいて規定される情報を情報記録手段より抽出することができる。
【００１８】
このため、情報を必要とするユーザは、情報の内容を目的語となり得る単語と作用を特定し得る単語との組み合わせに関連付けて認識しておくことによって、その組み合わせに基づいて規定される情報を、２つの選択肢の組み合わせに応じて抽出することができ、情報の検索・抽出を簡易かつ直感的に行うことが可能となる。
【００１９】
特に、日本語は目的語となり得る名詞とその目的語に対する作用を特定し得る動詞とにより構成される傾向がある。名詞は、目的語となり得る単語に該当し得るものであり、また、動詞は、作用を特定し得る単語に該当し得るものである。このため、目的語となり得る単語と作用を特定し得る単語の組み合わせに意味を持たせることができると共に、この組み合わせに基づく意味を考慮することにより、情報の関連付けを行うことが容易になる。
【００２０】
このため、単なる文字列に基づいて情報を関連付ける場合に比べて、情報の関連づけが容易になると共に、その関連付けに基づく情報を忘れにくくすることが可能となる。
【００２１】
また、上述した情報抽出装置において、前記目的選択肢と前記作用選択肢との組み合わせに基づいて規定される前記情報は、少なくとも一項目以上の情報であり、前記情報抽出手段により抽出される情報が複数の項目からなる場合には、前記情報抽出手段が前記複数の項目を全て抽出し、前記情報表示手段が抽出された項目を一覧にして前記表示モニタに表示させるものであってもよい。
【００２２】
このように本発明に係る情報抽出装置によれば、選択肢の組み合わせに基づいて規定される情報が必ずしも一項目には限定されず、複数の項目によって構成されるようにすることができる。このように複数の項目によって情報が構成される場合には、目的選択肢と作用選択肢とにより抽出される情報に幅を持たせることが可能となるので、目的選択肢と作用選択肢との２つの条件による抽出処理であっても、目的とする項目の情報が抽出された複数の項目結果に含まれ得るように情報抽出処理を行うことが可能となる。
【００２３】
さらに、本発明に係る情報抽出装置によれば、抽出された情報の項目が複数である場合には、その情報項目を一覧にして表示させることができるので、複数の項目の中から所望の項目を容易に判断し、選択することが可能となる。
【００２４】
さらに、上述した情報抽出装置において、前記情報記録手段に記録される前記情報の項目が、前記目的選択肢と前記作用選択肢との組み合わせのうち少なくとも一方の選択肢が異なる他の選択肢の組み合わせに基づく場合であっても、共通する項目を備え得るものであってもよい。
【００２５】
本発明に係る情報抽出装置によれば、異なる選択肢の組み合わせであっても、抽出結果に含まれる情報に共通する項目を含ませることができる。このため、選択肢群の中から選択する選択肢がいずれか一つの選択肢に限定し難く、選択肢のいずれかを迷いながら選択した場合であっても、目的とする項目を抽出される情報に含ませることが可能となる。このため、ユーザは、厳密に選択肢を限定することなく、直感的に、あるいは感覚的に選択肢を選択した場合であっても、目的とする項目の情報を抽出することが可能となる。
【００２６】
また、上述した情報抽出装置は、前記選択操作手段により、前記目的選択肢または前記作用選択肢のうちいずれか一方の選択肢のみ選択された場合に、前記選択肢表示手段が、選択された選択肢の選択肢群とは異なる選択肢群の選択肢であって、選択された選択肢との組み合わせに基づく情報が、前記情報記録手段に記録されていない選択肢に該当する選択肢の表示を、他の選択肢と異なる表示に変更して前記表示モニタに表示させるものであってもよい。
【００２７】
このように、本発明に係る情報抽出装置では、目的選択肢または作用選択肢のうちいずれか一方の選択肢のみ選択された場合に、選択された選択肢の選択肢群とは異なる選択肢群の選択肢であって、選択された選択肢との組み合わせに基づく情報が、情報記録手段に記録されていない選択肢に該当する選択肢の表示を、他の選択肢と異なる表示に変更して表示モニタに表示させることができる。
【００２８】
このため、選択された選択肢との組み合わせに基づく情報が記録されていない選択肢、つまり、選択された選択肢との組み合わせに基づく情報が規定されていない選択肢を、他の選択肢と異なる選択肢に変更して表示モニタに表示させることによって、ユーザに情報が規定されていない組み合わせに係る選択肢を視覚的に認識させることができ、ユーザがこれらの選択肢を誤って選択してしまうことを効果的に抑制することが可能となる。
【００２９】
さらに、上述した情報抽出装置において、前記選択操作手段による前記選択肢の選択は、前記目的選択肢を選択した後に前記作用選択肢を選択することも、前記作用選択肢を選択した後に前記目的選択肢を選択することも可能なものであってもよい。
【００３０】
このように、本発明に係る情報抽出装置によれば、目的選択肢を選択した後に作用選択肢を選択することも、作用選択肢を選択した後に目的選択肢を選択することも可能であるため、ユーザにおける選択操作の自由度を高めることが可能となる。
【００３１】
また、上述した情報抽出装置において、前記目的選択肢と前記作用選択肢との組み合わせに基づいて規定される前記情報は、前記目的選択肢を目的語とし前記作用選択肢を動詞として構成される文章の内容に基づいて特定され得る機能を実現するための操作情報であってもよい。
【００３２】
このように、本発明に係る情報抽出装置によれば、目的選択肢と作用選択肢との組み合わせに基づいて規定される情報が、目的選択肢を目的語とし作用選択肢を動詞として構成される文章の内容に基づいて特定され得る機能を実現するための操作情報であるため、目的とする操作情報を、文章の内容に関連付けて認識することができる。このため、操作情報を抽出するための選択肢の組み合わせを厳密に記憶していなくても、実現しようとする機能を文章化することにより最適な目的選択肢と作用選択肢とを直感的に判断することが可能となる。従って、機能に基づく選択肢の選択項目を直感的に特定することができ、操作の迅速化と容易化を実現することが容易となる。
【００３３】
さらに、上述した情報抽出装置において、前記目的選択肢を目的語とし前記作用選択肢を動詞として構成される文章の内容に基づいて特定され得る前記機能は、カーナビゲーションシステムの機能であり、当該機能を実現するための操作情報とは、前記カーナビゲーションシステムの機能を実現するための操作情報であってもよい。
【００３４】
本発明に係る情報抽出装置によれば、目的選択肢を目的語とし作用選択肢を動詞として構成される文章の内容に基づいて特定され得る機能が、カーナビゲーションシステムの機能であり、当該機能を実現するための操作情報が、カーナビゲーションシステムの機能を実現するための操作情報であるため、カーナビゲーションシステムの操作に必要な操作情報を２種類の選択肢の選択だけで迅速かつ簡易に抽出することが可能となる。
【００３５】
特に、今日のカーナビゲーションシステムでは、実現され得る機能が多岐にわたり、機能を実現するための操作方法の全てを覚えることが困難となっている。このため、２種類の選択肢の選択処理だけで、目的とする機能を実現するための操作情報が得られるため、操作情報の検索を迅速かつ簡単に行うことができる。
【００３６】
さらに、本発明に係る情報抽出装置では、選択肢が目的語となり得る単語と作用を特定し得る単語との２種類の選択肢群により構成されるため、目的語となり得る単語と作用を特定し得る単語との組み合わせによって構成される文章により、実現され得る機能を関連付けることが容易となるため、直感的に選択肢を選択することが可能となる。
【発明の効果】
【００３７】
本発明に係る情報抽出装置によれば、選択操作手段により選択された一の目的選択肢と一の作用選択肢の組み合わせとに応じて、当該組み合わせに基づいて規定される情報を情報記録手段より抽出することができる。
【００３８】
このため、情報を必要とするユーザは、情報の内容を目的語となり得る単語と作用を特定し得る単語との組み合わせに関連付けて認識しておくことによって、その組み合わせに基づいて規定される情報を、２つの選択肢の組み合わせに応じて抽出することができ、情報の検索・抽出を簡易かつ直感的に行うことが可能となる。
【００３９】
特に、日本語は目的語となり得る名詞とその目的語に対する作用を特定し得る動詞とにより構成される傾向がある。名詞は、目的語となり得る単語に該当し得るものであり、また、動詞は、作用を特定し得る単語に該当し得るものである。このため、目的語となり得る単語と作用を特定し得る単語の組み合わせに意味を持たせることができると共に、この組み合わせに基づく意味を考慮することにより、情報の関連付けを行うことが容易になる。
【００４０】
このため、単なる文字列に基づいて情報を関連付ける場合に比べて、情報の関連づけが容易になると共に、その関連付けに基づく情報を忘れにくくすることが可能となる。
【図面の簡単な説明】
【００４１】
【図１】本実施の形態に係るカーナビゲーション装置の概略構成を示したブロック図である。
【図２】本実施の形態に係るカーナビゲーション装置の表示モニタに表示されたアイコン画像の選択画面を表示させた状態を示した図である。
【図３】本実施の形態に係るカーナビゲーション装置の表示モニタに表示されたアイコン画像の選択画面を表示させた状態を示した図であって、（ａ）は、左枠体の「地図」アイコンがタッチ操作された状態を示し、（ｂ）は右枠体の「変更」アイコンがタッチ操作された状態を示している。
【図４】本実施の形態に係るカーナビゲーション装置の表示モニタに表示されたアイコン画像の選択画面を表示させた状態を示した図であって、（ａ）は、左枠体の「案内」アイコンがタッチ操作されて、右枠体の「探す」、「登録」アイコンが変更表示された状態を示し、（ｂ）は右枠体の「登録」アイコンがタッチ操作されて、左枠体の「案内」、「ルート」アイコンが変更表示された状態を示している。
【図５】左枠体に示されるアイコンと右枠体に示されるアイコンとの組み合わせにより、操作項目の抽出が可能であるか否かを記録したデータテーブルを示した表である。
【図６】図３に示されるタッチ操作画面において左枠体の「地図」アイコンと、右枠体の「変更」アイコンとを選択した場合に遷移表示された操作項目の一覧画面を示した図である。
【図７】本実施の形態に係る制御部が、タッチパネル部より取得したユーザのタッチ操作に関する情報に基づいて、表示モニタに操作項目一覧を表示させる処理を示したフローチャートである。
【図８】左枠体の「地図」アイコンと、右枠体の「変更」アイコンとが選択された場合に抽出される操作項目の一覧と、左枠体の「地図」アイコンと、右枠体の「設定」アイコンとが選択された場合に抽出される操作項目の一覧と、左枠体の「地図」アイコンと、右枠体の「表示」アイコンとが選択された場合に抽出される操作項目の一覧とを示した表である。
【発明を実施するための形態】
【００４２】
以下、本発明に係る情報抽出装置の一例であるカーナビゲーション装置（以下、ナビゲーション装置と称する）について、図面を用いて詳細に説明する。
【００４３】
図１は、本発明の実施の形態によるナビゲーション装置１を示している。ナビゲーション装置１は、図１に示すように、現在位置検出部１０と、ＶＩＣＳ（登録商標）情報受信部１１と、入力操作部１２と、画像メモリ部（選択肢表示手段、情報表示手段）１３と、表示モニタ１４と、タッチパネル部（選択操作手段）１５と、地図データ記録部（情報記録手段）１６と、スピーカ１７と、制御部（選択肢表示手段、情報抽出手段、情報表示手段）１８と、ＲＡＭ（Random Access Memory）１９と、ＲＯＭ（Read Only Memory）２０とを有している。
【００４４】
現在位置検出部１０は、ナビゲーション装置１が搭載された車両の現在位置を検出する役割を有している。現在位置検出部１０は、振動ジャイロ１０ａ、車速センサ１０ｂ、ＧＰＳ（Global Positioning System）センサ１０ｃを有している。振動ジャイロ１０ａは、車両の進行方向（進行方向の方位）を検出する機能を備えている。車速センサ１０ｂは、車両に設置されるパルス発生器より車両の走行距離に応じて発せられるパルスを検出することにより車速を検出する役割を有している。ＧＰＳセンサ１０ｃはＧＰＳ衛星からのＧＰＳ信号を検出する役割を有しており、制御部１８では、受信したＧＰＳ信号によって、車両の現在位置を座標位置（例えば、世界測地系（WGS84）に基づく緯度・経度情報）に基づいて検出をすることが可能となっている。
【００４５】
ＶＩＣＳ情報受信部１１は、ＶＩＣＳ情報を受信する役割を有している。ＶＩＣＳ情報は、ＶＩＣＳ情報センタ（図示省略）によって供給される情報であって、最新の渋滞情報などの道路状況を示した情報である。ＶＩＣＳ情報は、主に高速道路上に設置される電波ビーコンや主に一般道路上に設置される光ビーコンによって発信される。このため、ＶＩＣＳ情報受信部１１を備えた車両は、電波ビーコンや光ビーコンの設置位置近傍を通過することにより、ＶＩＣＳ情報受信部１１で、確実にＶＩＣＳ情報を受信することが可能となっている。
【００４６】
一方で、ＶＩＣＳ情報は、ＦＭ多重放送によって送信される場合も存在する。ＦＭ多重放送でＶＩＣＳ情報を送信することにより、電波ビーコンや光ビーコンよりも広域に対してＶＩＣＳ情報を送信することができる。ＶＩＣＳ情報受信部１１では、電波ビーコンや光ビーコンにより発信されるＶＩＣＳ情報の他に、ＦＭ多重放送によって送信されるＶＩＣＳ情報を受信することにより、広域での交通情報を確実に取得することが可能となっている。ＶＩＣＳ情報受信部１１によって受信されたＶＩＣＳ情報は、制御部１８へ出力される。
【００４７】
入力操作部１２は、タッチパネル部１５によるタッチ操作以外の操作方法によって、ナビゲーション装置１における各種操作を行う際に用いられる。具体的には、ナビゲーション装置１の筐体に設けられる物理的なスイッチ・ボタンなど（例えば、図２に示す音調調節スイッチ２２など）の他、リモコンなどが、入力操作部１２に該当する。
【００４８】
画像メモリ部１３は、表示モニタ１４に表示するための画像データを一時的に格納する役割を有している。この画像データは、制御部１８が、現在位置検出部１０より取得した車両の現在位置情報や、ユーザにより設定された目的地の情報などに基づいて、地図データ記録部１６より地図データを抽出し、各種画像情報を合成することによって適宜生成される。制御部１８では、生成された画像データを画像メモリ部１３に記録させ、画像メモリ部１３に記録された画像データは順次、ナビゲーション装置１の表示モニタ１４に地図表示等として表示されることになる。
【００４９】
表示モニタ１４は、地図データなどの各種情報に基づいて、自車位置付近の道路地図などの各種情報を画面に表示する役割を有している。表示モニタ１４として、例えば、液晶モニタやＣＲＴモニタなどを具体的に用いることができる。また、表示モニタ１４には、ナビゲーション装置１における操作メニュー等を、アイコンを用いて表示させることが可能となっている。このアイコンを用いた操作メニューの表示内容およびその処理内容については、後で詳しく説明する。
【００５０】
タッチパネル部１５は、ユーザが指で表示モニタ１４の表面をタッチしたか否かを判断し、タッチされた場合には、タッチ位置に基づいてユーザによる入力処理の判断を行う役割を有している。タッチパネル部１５は、タッチ検出部１５ａと、タッチコントロール部１５ｂとを有している。
【００５１】
タッチ検出部１５ａは、表示モニタ１４の表面に積層される透明のタッチスイッチなどにより構成されている。タッチ検出部１５ａは、入力操作部１２のような物理的なスイッチとは異なる検出手段であり、表示モニタ１４の表示画面におけるタッチ操作の有無を、静電方式や感圧方式などの検出方式に基づいて検出する。タッチ検出部１５ａは、透明のタッチスイッチなどにより構成されるため、ユーザは、タッチ検出部１５ａを介して表示モニタ１４に表示される画像、例えば後述するアイコンなどの画像を視認することが可能となっている。
【００５２】
タッチコントロール部１５ｂは、タッチ検出部１５ａと制御部１８との間に介在されている。タッチコントロール部１５ｂは、タッチ検出部１５ａにおいて検出した信号（タッチ操作による信号）に基づいてタッチパネル部１５におけるタッチ位置を算出し、制御部１８へ出力する。
【００５３】
地図データ記録部１６は、ハードディスク、ＳＳＤ、ＤＶＤ―ＲＯＭ、ＣＤ−ＲＯＭ、ＳＤカードなど、地図データを記録可能な一般的な補助記憶装置により構成されている。地図データは、地図表示用データ、経路探索用データなどを含んでおり、地図表示用データおよび経路探索用データには、地図データに格納されている道路のリンク情報およびノード情報が含まれている。地図表示用データとして、広域から詳細まで複数の縮尺の地図データが用意されているため、この地図表示用データを用いることによって、ユーザの要求に応じて表示地図の縮尺を変更することが可能となっている。
【００５４】
また、地図データ記録部１６には、次述するアイコンの選択操作に伴って表示モニタ１４に表示される操作項目の一覧に関する情報が記録されている。具体的には、次述する２種類の枠体に属するアイコンの組み合わせに基づいて規定される操作項目などの情報が、アイコンの組み合わせに応じて予めデータベース化されて記録されている。地図データ記録部１６では、制御部１８の指示に応じて、該当する操作項目を一覧として出力することが可能となっている。
【００５５】
スピーカ１７は、ユーザに対して、ナビゲーション中にルート誘導を行うための音声案内ガイドを出力したり、ナビゲーション装置１における様々な入力操作に伴う音声案内ガイドを出力したりする役割を有している。
【００５６】
制御部１８は、ユーザによって設定される目的地までのルート検索や、検索されたルートに基づく画像生成処理や、案内音声出力処理など、ナビゲーション装置１における各種処理を行う役割を有している。制御部１８は、例えば、ＣＰＵ（Central Processing Unit）により構成される。
【００５７】
ＲＡＭ１９は、制御部１８の作業エリアとしての役割を有している。例えば、後述するように、制御部１８が操作項目の一覧を表示する処理を行う場合において、ＲＡＭ１９は、表示モニタ１４に表示される複数のアイコンのうちいずれのアイコンがユーザによりタッチ操作されたか否かの判断などを行うためのデータを記録するために利用される。制御部１８では、ＲＡＭ１９の所定領域に記録されるデータ（特定のフラグのセット状態（特定のビットが０であるか１であるか））に基づいて、アイコンのタッチ操作状態を判断する。
【００５８】
また、ＲＯＭ２０は、制御部１８において実行される各種のプログラム等が記録されている。制御部１８は、ＲＯＭ２０よりプログラムを読み込んで実行することにより各種の制御処理を行うことが可能となる。例えば、ＲＯＭ２０には、次述する図７に示すようなプログラムが記録される。
【００５９】
本実施の形態に係る制御部１８では、ＲＯＭ２０より各種プログラムを読み出して実行することにより、ナビゲーション装置１における道路案内処理を実行すると共に、実行される道路案内処理に伴って、誘導経路（案内経路：ルート）に用いられる地図情報を生成し、表示モニタ１４に表示させる処理を行う。さらに、制御部１８では、ナビゲーション装置１における様々な機能を実現させるため、ユーザに対して所望の操作項目を直感的に選択させるため処理を行う。
【００６０】
図２は、ユーザが操作項目の一覧を表示させる際に操作するアイコン画像を、表示モニタ１４に表示させた状態を示している。アイコン画像は、２つの枠体３１，３２によって２種類に分類された複数のアイコンにより構成されている。各アイコンには、アイコン上部にアイコンの種類を示すイラストが示されており、また、下部にアイコンの種類を示す文字が示されている。
【００６１】
画面左側の枠体３１（以下、左枠体３１とする）には、５種類のアイコン（選択肢群）が示されている。左枠体３１に示されたアイコンは、操作内容の目的語であって、いわゆる「何を」に該当する名詞系の語（目的語となり得る単語）を示すアイコンによって構成されている。一方で、画面右側の枠体３２（以下、右枠体３２とする）には、６種類のアイコン（選択肢群）が示されており、右枠体３２に示されたアイコンは、操作内容の動詞であって、いわゆる「どうする」に該当する動詞系の語（作用を特定し得る単語）を示すアイコンによって構成されている。
【００６２】
具体的に、左枠体３１に示されるアイコンは、「地図」を示すアイコンと、「案内」を示すアイコンと、「目的地」を示すアイコンと、「ルート」を示すアイコンと、「情報」を示すアイコンとの５種類のアイコンによって構成されている。また、右枠体３２に示されるアイコンは、「変更」を示すアイコンと、「設定」を示すアイコンと、「表示」を示すアイコンと、「消去」を示すアイコンと、「探す」を示すアイコンと、「登録」を示すアイコンとの６種類のアイコンによって構成されている。
【００６３】
なお、左枠体３１に示されるアイコンの個数およびその内容と、右枠体３２に示されるアイコンの個数およびその内容とは、図２に示すような個数およびその内容には限定されない。左枠体３１に示されるアイコンは、５種類未満であってもよく、また６種類以上であってもよい。また、右枠体３２に示されるアイコンは、６種類未満であってもよく、また７種類以上であってもよい。但し、アイコン数があまりにも多くなると、一見してアイコンの種類を判断することが困難となるおそれがあるため、ユーザの利便性を考慮してアイコンの数を決定することが望ましい。
【００６４】
さらに、各アイコンに示されるイラストは、アイコンに示される文字が読めない子供や外国人などにおいてもそのボタンの役割を識別できるように示されたものである。従って、アイコン数が多くなって各アイコンの大きさが小さくなってしまうと、アイコンのイラストを認識し難くなってしまうので、アイコンの視認性をも考慮してアイコンの数を決定することが好ましい。
【００６５】
なお、各アイコンには、アイコンを識別するためのイラストが示されているため、言語が異なる他の国々で本実施の形態に係るナビゲーション装置１を使用する（販売する）場合であっても共通したアイコンを用いることが可能である。また、アイコンに示されたイメージによって、各アイコンの違いを容易に判断することが可能となるので、直感的にアイコンの認識および選択を行うことが可能となる。
【００６６】
本実施の形態に係るナビゲーション装置１において、ユーザが、所定の機能を実行しようと考えた場合には、まず、その機能の内容を文章化して具体的に考える。そして、ユーザは、文章化された機能内容に基づいて、その目的語に最も近い意味内容を示すアイコンを左枠体３１から選択し、文章化された機能内容の動詞に最も近い意味内容を示すアイコンを右枠体３２から選択する。このようにして２種類のアイコンを選択することにより、選択されたアイコンから最も近い機能内容を実現することが可能な操作項目の一覧が、表示モニタ１４に表示されることになる。
【００６７】
例えば、ナビゲーション装置１において「目的地を設定する」場合には、左枠体３１より「目的地」を示すアイコンをタッチパネルで選択し、さらに、右枠体３２より「設定」を示すアイコンをタッチパネルで選択する。このようにして所望の機能を文章化し、文章化された機能内容の目的語と動詞とを、左右の枠体３１，３２からアイコン選択によって指定することで、所望の機能を実現するための操作項目を求めることができる。
【００６８】
特に、ナビゲーション装置１の操作を行う状況は、例えば、車両の発車前や、信号などにより一時的に車両が停車されたとき等のように、ゆっくりと操作に時間をかけることができない状況であることが多い。このため、左枠体３１のいずれかのアイコンと右枠体３２のいずれかのアイコンとをタッチ操作するだけで、簡単に所望の機能を実現させるための操作方法を見つけ出して操作することができるので、操作処理の迅速化、簡易化を図ることが可能となる。
【００６９】
また、本実施の形態に係るナビゲーション装置１では、２つのアイコンをタッチ操作するだけで（２アクションだけで）、所望の機能を実現するための操作項目の一覧を表示させることができる。従来のナビゲーション装置のように「名詞」「助詞」「動詞」からなる３つのアイコンをタッチ操作する場合に比べて、２つのアイコンを操作する場合には、アイコンにより抽出される操作項目の項目数の幅が広くなる（抽出される項目数が多くなる）傾向がある。
【００７０】
３つのアイコンを操作する場合には、抽出条件がアイコン数に比例して細かくなるため、正確にアイコンを選択（タッチ操作）することによって、精度良く操作項目の絞り込みを行うことができる。しかしながら、思い違いなどにより選択するアイコンを間違えてしまうと、絞り込まれた操作項目から所望の操作項目が外れてしまう可能性が高くなり、結果として再度、始めからアイコンの選択操作を行わなければならないという操作負担が生ずる場合があった。
【００７１】
しかしながら、２つのアイコンを操作する場合には、３つのアイコンを操作する場合に比べて、抽出条件が少なくなるため、操作項目の絞り込みが緩くなる傾向にある。このため、アイコンの選択を多少間違えても、あるいはアイコンの選択を迷った場合であっても、目的とする操作項目が絞り込み対象に含まれる可能性が高くなり、結果として再操作となる可能性を低減させることができ、操作負担の軽減を図ることが可能となる。
【００７２】
なお、ナビゲーション装置１の制御部１８では、ユーザによりタッチ操作されたアイコンの種類に関する情報を、タッチパネル部１５を介して取得する。制御部１８は、左枠体３１あるいは右枠体３２のいずれか一方のアイコンのみが選択され、いずれか他方の枠体におけるアイコンの選択が行われていない場合には、選択されたアイコンの表示を選択されたことが視認できるようなアイコン画像に変更して表示モニタ１４に表示させる。
【００７３】
例えば、図３（ａ）に示すように、左枠体３１の「地図」のアイコン４１がタッチ操作されて選択された場合、制御部１８は、「地図」のアイコン４１が選択されたことをユーザが視認できるように、アイコン４１の表示を変更する処理を行う。また、同様に、図３（ｂ）に示すように、右枠体３２の「変更」のアイコン４２がタッチ操作されて選択された場合、制御部１８は、「変更」のアイコン４２が選択されたことをユーザが視認できるように、アイコン４２の表示を変更する処理を行う。
【００７４】
また、制御部１８は、所定のアイコンがタッチ操作された場合に、タッチ操作されたアイコンと組み合わせることが不可能な他方の枠体におけるアイコンを求めて、不可能な組み合わせに該当するアイコンが存在する場合に、該当する他方の枠体におけるアイコンの表示を、選択することが不可能なアイコン画像に変更して表示モニタ１４に表示させる。
【００７５】
例えば、図４（ａ）に示すように、左枠体３１の「案内」のアイコン４３がタッチ操作されて選択された場合、まず、制御部１８は、「案内」のアイコン４３の表示を変更する処理を行う。次に、制御部１８は、「案内」のアイコン４３と組み合わせることができないアイコンを、他方の枠体（右枠体３２）のアイコンの中から求める。本実施の形態に係るナビゲーション装置１では、次述するように、「案内」のアイコン４３に対して、「探す」のアイコン４４と、「登録」のアイコン４５とを組み合わせることができない。このため、制御部１８は、「探す」のアイコン４４と、「登録」のアイコン４５とを、ユーザによって選択することが不可能なアイコン画像に変更して表示モニタ１４に表示させる処理を行う。
【００７６】
また、同様に、図４（ｂ）に示すように、右枠体３２の「登録」のアイコン４６がタッチ操作されて選択された場合、まず、制御部１８は、「登録」のアイコン４６の表示を変更する処理を行う。次に、制御部１８は、「登録」のアイコン４６と組み合わせることができないアイコンを、他方の枠体（左枠体３１）のアイコンの中から求める。本実施の形態に係るナビゲーション装置１では、次述するように、「登録」のアイコン４６に対して、「案内」のアイコン４７と、「ルート」のアイコン４８とを組み合わせることができない。このため、制御部１８は、「案内」のアイコン４７と、「ルート」のアイコン４８とを、ユーザによって選択することが不可能なアイコン画像に変更して表示モニタ１４に表示させる処理を行う。
【００７７】
このように、組み合わせることができないアイコンを、ユーザによって選択することが不可能なアイコン画像に変更して表示モニタ１４に表示させることにより、ユーザが組み合わせることのできないそれぞれの枠体のアイコンを選択してしまうことを効果的に抑制することが可能となる。
【００７８】
本実施の形態に係るナビゲーション装置１では、図５に示すように、左枠体３１のアイコンと右枠体３２のアイコンとの組み合わせに応じて操作項目の抽出を行うことができるか否かを示したデータテーブルが、地図データ記録部１６に記録されている。図５において、左枠体３１のアイコンと右枠体３２とのアイコンとの組み合わせにおいて「×」で示されている組み合わせは、選択することができないアイコンの組み合わせを示している。
【００７９】
例えば、図４（ａ）に示したように、左枠体３１において「案内」を示すアイコン４３を選択した場合には、右枠体３２における「探す」を示すアイコン４４や、「登録」を示すアイコン４５を選択することができない。一般的なカーナビゲーションシステムにおいて、「目的地」の「登録」を行うことは可能であっても、「案内」の「登録」を行うことはできない（「案内」を「登録」する機能は一般的に備えられていない）。このため、備えられていない機能に該当するアイコンの組み合わせは、図５に示すデータテーブルにおいて「×」で示されている。
【００８０】
一方で、図５において、左枠体３１のアイコンと右枠体３２とのアイコンとの組み合わせにおいて「○」で示されている組み合わせは、そのアイコンの組み合わせに基づいていくつかの操作項目を抽出することが可能であることを示している。このアイコンの組み合わせにより抽出され得る操作項目は、一覧として地図データ記録部１６に記録されている。制御部１８では、選択されたアイコンの組み合わせに基づいて、図５のデータテーブルを参照することにより、操作項目の一覧が抽出可能であるか否かを判断し、抽出可能である場合には、表示モニタ１４に求められた操作項目の一覧を表示させる処理を行う。
【００８１】
図６は、左枠体３１において「地図」を示すアイコンを選択し、右枠体３２において「変更」を示すアイコンを選択した場合に遷移表示された操作項目の一覧画面を示している。図２等に示されるアイコンの表示画面から２種類のアイコンを選択することにより、図６に示すように、選択されたアイコンに基づいて抽出され得る操作項目の一覧が求められ、表示モニタ１４に遷移表示されることになる。
【００８２】
本実施の形態に係るナビゲーション装置１では、操作項目の一覧画面において１０〜１２項目程度の操作項目が表示されることになっている。一般的なカーナビゲーション装置の表示モニタの大きさは、５〜７インチ程度である。このため、抽出された操作項目の文字の大きさを小さくして多数の操作項目を一画面に表示させようにすると、文字があまりに小さいために、視認性・操作性が損なわれてしまうおそれがある。一方で、文字を大きく表示しすぎると、一画面に表示可能な操作項目が少なくなってしまうため、操作項目の表示が複数ページに渡ってしまい、操作項目の確認および選択を円滑に行うことが困難になってしまうおそれがある。
【００８３】
このような点を考慮すると、抽出される操作項目は、図６に示すように、一画面当たり５〜６項目程度表示させることが好ましく、５〜６項目程度であれば、各操作項目の内容を容易かつ瞬時に判断することが可能になる。さらに、一画面に５〜６項目程度の操作項目を表示させるようにすることによって、表示モニタ１４に設けられる一覧切り替えボタン（例えば、図６に示す矢印ボタン５０，５１など）を一度操作するだけで、残りの全ての操作項目を画面に示すことができるので、操作負担を増大させることなく操作項目の認識と選択とを容易に行わせることが可能となる。
【００８４】
図７は、制御部１８が、タッチパネル部１５より取得したユーザのタッチ操作に関する情報に基づいて、表示モニタ１４に操作項目の一覧を表示させる処理を示したフローチャートである。
【００８５】
本実施の形態に係るナビゲーション装置１の標準画面（経路案内時やナビゲーション装置１の起動時に表示される画面であって、一般的に、車両の周囲の地図データが表示された表示画面が該当する。）には、アイコンの表示画面へ画面を遷移させるためのアイコンボタンが表示されている。ユーザは、必要に応じて、表示モニタ１４の標準画面に表示されるアイコンボタンをタッチ操作することにより、図２等に示すような、アイコンの表示画面へと画面を遷移させることができる。
【００８６】
図３に示すアイコンの表示画面に画面が遷移された場合、制御部１８は、タッチ操作されたアイコンの判断処理に利用されるＲＡＭ１９の所定領域を初期化する処理（初期設定処理）を行う（ステップＳ．１）。具体的には、アイコンのタッチ操作判断に利用するために、ＲＡＭ１９の所定領域を確保し、確保された領域のデータを初期化する。ここでデータの初期化とは、該当する領域におけるフラグをオフにする（該当する領域のビットを全てゼロに設定する）処理を意味している。いずれかのアイコンがタッチ操作された場合に、制御部１８は、後述する処理（例えば、ステップＳ．１４の処理）において、アイコン毎に予め規定されている所定のフラグをセットすることにより、ユーザにタッチ操作されたアイコンがどのアイコンであるかを記録する。
【００８７】
次に、制御部１８は、タッチパネル部１５よりタッチ操作に関する情報を取得し（ステップＳ．２）、取得された情報に基づいて、いずれかのアイコンがタッチ操作されたか否かを判断する（ステップＳ．３）。いずれのアイコンもタッチ操作されていないと判断される場合（ステップＳ．３においてＮｏの場合）、制御部１８は、繰り返しタッチパネル部１５よりタッチ操作に関する情報を取得して（ステップＳ．２）、いずれかのアイコンがタッチ操作されたか否かの判断を繰り返し実行する（ステップＳ．３）。
【００８８】
いずれかのアイコンがタッチ操作されたと判断される場合（ステップＳ．３においてＹｅｓの場合）、制御部１８は、タッチ操作されたアイコンの種類に該当するフラグの状態を、ＲＡＭ１９の所定領域より読み出して（ステップＳ．４）、タッチ操作されたアイコンのフラグがセットされているか否かの判断を行う（ステップＳ．５）。
【００８９】
タッチ操作されたアイコンのフラグがセットされている場合（ステップＳ．５においてＹｅｓの場合）、制御部１８は、既に、アイコンがタッチ選択された状態において、さらに該当するアイコンがタッチされたものと判断する。このように一度タッチ操作されたアイコンが再度タッチ操作された場合には、該当するアイコンが取り消された状態、つまり、該当するアイコンが選択されていない状態となるように表示モニタ１４の表示内容を修正（変更）する処理を行う。
【００９０】
具体的に、制御部１８は、選択（タッチ操作）された枠体だけでなく、選択されたアイコンの枠体とは異なる枠体に属するアイコンを含めた全てのアイコンに関するフラグをオフにする（ステップＳ．６）。そして、制御部１８は、オフにされたフラグに基づいて、全てのアイコンの表示を、全て選択されていないアイコン画像に修正して、表示モニタ１４に表示させる（ステップＳ．７）。この表示モニタ１４におけるアイコンの修正表示処理は、上述したように、地図データ記録部１６に記録されているアイコン画像データに基づいて、制御部１８によって表示画像が生成されて画像メモリ部１３に記録され、さらに画像メモリ部１３に記録された表示画像が表示モニタ１４に出力されることにより実行される。
【００９１】
その後、制御部１８は、上述したアイコンがタッチ操作されたか否かの判断処理（ステップＳ．２およびステップＳ．３）を繰り返し実行する。
【００９２】
一方で、タッチ操作されたアイコンのフラグがセットされていないと判断される場合（タッチ操作されたアイコンのフラグがオフになっている場合：ステップＳ．５においてＮｏの場合）、制御部１８は、まず始めに、タッチ操作されたアイコンの枠体と異なる枠体であって、その異なる枠体に属するアイコンのフラグの状態を、ＲＡＭ１９の所定領域より読み出す（ステップＳ．８）。そして、制御部１８は、読み出されたフラグの状態に基づいて、異なる枠体に属するアイコンにおいてセットされたフラグが存在するか否かの判断を行う（ステップＳ．９）。いずれかのアイコンのフラグが既にセットされている場合（ステップＳ．９においてＹｅｓの場合）には、タッチ操作されたアイコンの枠体とは異なる枠体に属するいずれかのアイコンが、既にタッチ操作されて選択された状態になっていると判断することができる。
【００９３】
このように、異なる枠体のアイコンが既に選択されている場合（ステップＳ．９においてＹｅｓの場合）、制御部１８は、タッチ操作されたアイコンと、異なる枠体であって既に選択されているアイコンとの組み合わせが可能であるか否かを、ＲＡＭ１９に記録されている図５に示すデータテーブルから判断する（ステップＳ．１０）。
【００９４】
ＲＡＭ１９に記録されたデータテーブルに基づいて、アイコン同士の組み合わせが可能であると判断した場合（ステップＳ．１０においてＹｅｓの場合）、制御部１８は、タッチ操作されたアイコンのフラグをセットする（ステップＳ．１１）。そして、制御部１８は、タッチ操作されたアイコンの表示を、タッチ操作によりアイコンが選択されたことをユーザに認識させることが可能な画像（例えば、図４（ａ）に示す「案内」アイコンの画像など）に変更して、表示モニタ１４に表示させる（ステップＳ．１２）。その後、制御部１８は、表示モニタ１４に表示させる画面を、図６に示すように、選択されたアイコンに基づいて抽出され得る操作項目の一覧画面に遷移表示させ（ステップＳ．１３）、機能一覧表示処理を終了する。
【００９５】
一方で、ＲＡＭ１９に記録されたデータテーブルに基づいて、アイコン同士の組み合わせが不可能であると判断した場合（ステップＳ．１０においてＮｏの場合）、制御部１８は、表示モニタ１４に表示されている表示内容を変更することなく、処理を前述したアイコンのタッチ操作判断処理（ステップＳ．２およびステップＳ．３）に移行させる。
【００９６】
アイコンの組み合わせが不可能な場合には、タッチ操作に関する情報に基づいてアイコンのタッチ操作が検出されたときであっても、制御部１８が表示モニタ１４の画面遷移処理を行わないことによって、タッチ操作が受け入れられなかったものとユーザに認識させることができる。
【００９７】
また、ステップＳ．９において、異なる枠体のいずれのアイコンのフラグもセットされていないと判断される場合（ステップＳ．９においてＮｏの場合）、制御部１８は、タッチ操作されたアイコンのフラグをオンにセットし（ステップＳ．１４）、表示モニタ１４におけるアイコン画像を、アイコンが選択されたことを認識可能な画像に変更する（ステップＳ．１５）。
【００９８】
その後、制御部１８は、フラグをオンにしたアイコンの選択によって、このアイコンに組み合わせることが不可能な他の枠体のアイコンが存在するか否かを、図５に示したデータテーブルに基づいて判断する（ステップＳ．１６）。データテーブルにより、組み合わせることが不可能なアイコンが存在する場合（ステップＳ．１６においてＹｅｓの場合）、制御部１８は、組み合わせることが不可能となる他の枠体のアイコンの表示を、選択することができないアイコン画像に変更して、表示モニタ１４に表示させる（ステップＳ．１７）。
【００９９】
例えば、図４（ａ）、図４（ｂ）および図５に示したように、「案内」のアイコンと「探す」のアイコンとの組み合わせ、「案内」のアイコンと「登録」のアイコンとの組み合わせ、「ルート」のアイコンと「登録」のアイコンとの組み合わせに関しては、操作項目の一覧候補が存在しない。このため、上述したように、これらのアイコンの組み合わせに関しては、一方の枠体のアイコンの選択時に、対応し得る他方の枠体のアイコンが選択できないように、アイコン画像を変更して、表示モニタ１４に表示させる。
【０１００】
そして、ステップＳ．１６において、組み合わせることが不可能なアイコンが存在しないと判断された場合（ステップＳ．１６においてＮｏの場合）、あるいは、ステップＳ．１７において、他の枠体のアイコンの表示を選択することができないアイコン画像に変更した場合、制御部１８は、前述したアイコンのタッチ操作判断処理（ステップＳ．２およびステップＳ．３）を繰り返し実行する。
【０１０１】
このようにして、制御部１８は、アイコンのタッチ操作によって図５に示すように組み合わせが許容される２種類のアイコンが選択されるまで処理を繰り返し実行し、適式にアイコンが組み合わされた場合に、ステップＳ．１３に示したように、操作項目の一覧表示処理を行うことによって、表示処理を終了する。
【０１０２】
また、本実施の形態に係るナビゲーション装置１では、アイコン同士の組み合わせが異なっている場合であっても、同じ操作項目が一覧として抽出されるように、操作項目の一覧が規定されている。図８は、左枠体３１の「地図」アイコンと、右枠体３２の「変更」アイコンとが選択された場合に抽出される操作項目の一覧と、左枠体３１の「地図」アイコンと、右枠体３２の「設定」アイコンとが選択された場合に抽出される操作項目の一覧と左枠体３１の「地図」アイコンと、右枠体３２の「表示」アイコンとが選択された場合に抽出される操作項目の一覧とを示した表である。
【０１０３】
この３パターンのアイコンの組み合わせにおいて、「地図の表示方法を変える」（図８における符号Ｗ１）、「地図の向きを変える」（符号Ｗ２）、「地図に表示させる文字を設定する」（符号Ｗ３）、「地図上のアイコンの設定をする」（符号Ｗ４）は、共通して抽出される操作項目に該当する。
【０１０４】
このように、本実施の形態に係るナビゲーション装置１では、２種類のアイコン（左枠体３１に属するアイコンと、右枠体３２に属するアイコンと）の組み合わせにより、対象となる操作項目の一覧を表示させる場合において、操作項目の抽出は、必ずしも１種類のアイコン同士の組み合わせだけに対応して抽出されるのではない。ナビゲーション装置１では、アイコン同士の組み合わせが異なるように選択された場合であっても、選択されたアイコンの「動詞」および「名詞」の組み合わせにより、共通する操作内容がイメージされ得る場合には、同じ操作項目が一覧として抽出されることになる。
【０１０５】
このように、本実施の形態に係るナビゲーション装置１では、「名詞」と「動詞」との２種類のアイコンを選択することにより操作項目の抽出を行うため、３種類以上のアイコンを選択する従来のナビゲーション装置よりも高い確率で、所望の操作項目を抽出することが可能となる。このため、ユーザは、２種類のアイコンを選択することにより、１回目のアイコン選択で、所望の操作項目を含む操作一覧を表示モニタ１４に表示させる可能性が高くなり、操作項目が抽出されないことによって再度アイコンの選択処理をやり直さなければならない事態を回避することが可能となる。
【０１０６】
さらに、本実施の形態に係るナビゲーション装置１では、図７においてフローチャートで示したように、２種類のアイコンの選択を、左枠体３１のアイコンから選択することも、右枠体３２のアイコンから選択することも可能となっている。このように、いずれのアイコンを始めに選択しても所望の操作項目一覧を抽出して表示モニタ１４に表示させることができるため、ユーザにおける操作の自由度を高めることが可能となる。
【０１０７】
以上、本発明に係る情報抽出装置について、図面を用いて説明を行ったが、本発明に係る情報抽出装置は、上述した実施の形態に係るナビゲーション装置１の構成のみに限定されるものではない。当業者であれば、特許請求の範囲に記載された範疇内において、各種の変更例または修正例に想到し得ることは明らかであり、それらについても当然に本発明の技術的範囲に属するものと了解される。
【０１０８】
本発明に係る情報抽出装置は、複数の項目の情報を２つのアイコン選択だけで効率的、直感的かつ迅速に抽出することができるため、本実施の形態において一例として示したカーナビゲーション装置だけに限られず、携帯電話や銀行のＡＴＭなど様々な機器に応用することが可能である。
【符号の説明】
【０１０９】
１     …ナビゲーション装置（情報抽出装置）
１０   …現在位置検出部
１０ａ  …振動ジャイロ
１０ｂ  …車速センサ
１０ｃ  …ＧＰＳセンサ
１１   …ＶＩＣＳ情報受信部
１２   …入力操作部
１３   …画像メモリ部（選択肢表示手段、情報表示手段）
１４   …表示モニタ
１５   …タッチパネル部（選択操作手段）
１５ａ  …タッチ検出部
１５ｂ  …タッチコントロール部
１６   …地図データ記録部（情報記録手段）
１７   …スピーカ
１８   …制御部（選択肢表示手段、情報表示手段、情報抽出手段）
１９   …ＲＡＭ
２０   …ＲＯＭ
２２   …音量調節スイッチ
３１   …左枠体
３２   …右枠体
４１〜４８   …アイコン
５０，５１   …矢印ボタン
Ｗ１〜Ｗ４   …操作項目
【図１】
2015158950.tif 000003
【図２】
2015158950.tif 000004
【図３】
2015158950.tif 000005
【図４】
2015158950.tif 000006
【図５】
2015158950.tif 000007
【図６】
2015158950.tif 000008
【図７】
2015158950.tif 000009
【図８】
2015158950.tif 000010